(57)【要約】 【課題】  接続方式が異なる機器であっても、接続された機器に適した充電電圧を供給することができる充電装置を提供すること。【解決手段】  第１の接続方式に対応する第１の接続機器のみ応答可能な第１のコマンドが接続手段に接続されている第１の接続機器又は第２の接続機器に送信され、第１のコマンドに対する応答があれば、第１の接続方式に対応する第１の充電電圧が第１の端子に供給される。第１のコマンドに対する応答がなければ、第２の接続方式に対応する第２の充電電圧が所定の期間、第２の端子へ供給される。そして第２の充電電圧が第１の所定期間供給された後、第１の接続機器及び第２の接続機器が応答可能な第２のコマンドが接続機器に送信され、第２のコマンドに対する応答があれば、第２の充電電圧が第２の端子に供給される。第２のコマンドに対する応答がなければ、第１の充電電圧が第１の端子に供給される。【選択図】  図４
2010081763.tif 000002
【特許請求の範囲】
【請求項１】
第１の端子及び第２の端子を含み、第１の端子と接続する第１の接続方式に対応する第１の接続機器及び第２の端子と接続する第２の接続方式に対応する第２の接続機器のうち、いずれか一方と接続する接続手段と、
該第１の接続方式に対応する該第１の充電電圧又は該第２の接続方式に対応する該第２の充電電圧を生成し、該第１の充電電圧を該第１の端子へ出力し、該第２の充電電圧を該第２の端子へ出力する電源手段と、
該第１の充電電圧が該第１の端子へ出力されることを許可または禁止し、該第２の充電電圧が該第２の端子へ出力されることを許可又は禁止する電圧供給制御手段と、
該第１の接続機器が応答可能な第１のコマンド、又は、該第１の接続機器及び該第２の接続機器が応答可能な第２のコマンドを、該接続手段に接続されている該第１の接続機器又は該第２の接続機器に送信するコマンド送信手段とを有し；
該コマンド送信手段が該第１の接続機器又は該第２の接続機器へ該第１のコマンドを送信し、
該第１のコマンドに対する応答がある場合、該電圧供給制御手段が、該電源手段から該第１の端子への第１の充電電圧の供給を許可し、かつ、該電源手段から該第２の端子への該第２の充電電圧の供給を禁止し、
該第１のコマンドに対する応答がない場合、該電圧供給制御手段が、第１の所定期間、該電源手段から該第２の端子への該第２の充電電圧の供給を許可し、かつ、該電源手段から該第１の端子への該第１の充電電圧の供給を禁止し、
該第２の充電電圧を該第１の所定期間供給後、該コマンド送信手段が該第２のコマンドを該第１の接続機器又は該第２の接続機器に送信し、
該第２のコマンドに対する応答がある場合、該電圧供給制御手段が該電源手段から該第２の端子への該第２の充電電圧の供給を許可し、かつ、該電源手段から該第１の端子への該第１の充電電圧の供給を禁止し、
該第２のコマンドに対する応答がない場合、該電圧供給制御手段が該電源手段から該第１の端子への該第１の充電電圧の供給を許可し、かつ、該電源手段から該第２の端子への該第２の充電電圧の供給を禁止する、充電装置。
【請求項２】
エラーの発生を表示する表示手段をさらに有し；
前記第２の充電電圧を前記第１の所定期間供給後、前記コマンド送信手段が前記第２のコマンドを前記第１の接続機器又は前記第２の接続機器に送信し、該第１の接続機器又は該第２の接続機器から該第２のコマンドに対する応答がない場合、第２の所定期間、前記電圧供給制御手段が前記電源手段から前記第１の端子への前記第１の充電電圧の供給を許可し、かつ、該電源手段から前記第２の端子への前記第２の充電電圧の供給を禁止し、
該第１の充電電圧を該第２の所定期間供給後、該コマンド送信手段が前記第１のコマンド又は該第２のコマンドを該第１の接続機器又は該第２の接続機器に再送信し、
再送信した該第１のコマンド又は該第２のコマンドに対する応答がない場合、該表示手段がエラーの発生を表示し、
再送信した該第１のコマンド又は該第２のコマンドに対する応答がある場合、該電圧供給制御手段が、該電源手段から該第１の端子への該第１の充電電圧の供給を許可し、かつ、該電源手段から該第２の端子への該第２の充電電圧の供給を禁止する、請求項１に記載の充電装置。
【発明の詳細な説明】
【技術分野】
【０００１】
本発明は充電装置に関し、特に、接続方式が異なる接続機器であっても、接続された接続機器に適した充電電圧を供給することができる充電装置に関するものである。
【背景技術】
【０００２】
ポータブルオーディオデバイス、プリンタ、スキャナー、オーディオプロセッサー等のコンピュータ周辺機器とホストコンピュータなどのホスト機器とはシリアルバスによって接続され、そのシリアルバスにはＵＳＢ（Ｕｎｉｖｅｒｓａｌ  Ｓｅｒｉａｌ  Ｂｕｓ）、ＩＥＥＥ１３９４等の様々な接続方式の規格がある。これらのシリアルバスを備えるコンピュータ周辺機器を、シリアルバス接続機器という。これらのシリアルバス接続機器では、ホスト機器からシリアルバス接続機器へ電源供給が可能であり、充電池などの蓄電手段を有してその充電電圧で動作可能なシリアルバス接続機器であれば、ホスト機器に接続して充電可能である。
【０００３】
また、今般コンピュータ周辺機器はライフサイクルが短く、次々と新製品が開発される。中には同一ブランドでシリーズ化されて様々な機器が多く展開される。このような機器において、ホスト機器と接続するための接続コネクタが共通化されているものの、シリアルバスの接続方式が異なるものがある。接続方式が異なると、シリアルバス接続機器を充電するためにホスト機器からコンピュータ周辺機器へ供給する充電電圧が異なる。例えば、ＵＳＢをシリアルバスとして使用するシリアルバス接続機器の場合、充電するためには５Ｖの充電電圧がホスト機器からシリアルバス接続機器へ供給される必要があり、一方ＩＥＥＥ１３９４をシリアルバスとして使用するシリアルバス接続機器の場合には、１２Ｖの充電電圧がホスト機器からシリアルバス接続機器へ供給される必要がある。このようにシリアルバス接続機器に供給されるべき充電電圧が異なると、ホスト機器が適した充電電圧を供給することができなければ、シリアルバス接続機器を充電することができないという問題がある。そこで、５Ｖ及び１２Ｖの両方の充電電圧を同時に供給すれば、接続方式がＵＳＢ、ＩＥＥＥ１３９４にかかわらず適した充電電圧でシリアルバス接続機器を充電可能である。しかし、充電に必要でない充電電圧もシリアルバス接続機器へ供給されるため、シリアルバス接続機器が動作不良を起こす場合がある。
【特許文献１】特開２００４−７０７８５号
【発明の開示】
【発明が解決しようとする課題】
【０００４】
本発明は上記従来の課題を解決するためになされたものであり、その目的とするところは、接続方式が異なる機器であっても、接続された機器に適した充電電圧を供給することができる充電装置を提供することである。
【課題を解決するための手段】
【０００５】
本発明の好ましい実施形態による充電装置は、第１の端子及び第２の端子を含み、第１の端子と接続する第１の接続方式に対応する第１の接続機器及び第２の端子と接続する第２の接続方式に対応する第２の接続機器のうち、いずれか一方と接続する接続手段と、該第１の接続方式に対応する該第１の充電電圧又は該第２の接続方式に対応する該第２の充電電圧を生成し、該第１の充電電圧を該第１の端子へ出力し、該第２の充電電圧を該第２の端子へ出力する電源手段と、該第１の充電電圧が該第１の端子へ出力されることを許可または禁止し、該第２の充電電圧が該第２の端子へ出力されることを許可又は禁止する電圧供給制御手段と、該第１の接続機器が応答可能な第１のコマンド、又は、該第１の接続機器及び該第２の接続機器が応答可能な第２のコマンドを、該接続手段に接続されている該第１の接続機器又は該第２の接続機器に送信するコマンド送信手段とを有し；該コマンド送信手段が該第１の接続機器又は該第２の接続機器へ該第１のコマンドを送信し、該第１のコマンドに対する応答がある場合、該電圧供給制御手段が、該電源手段から該第１の端子への第１の充電電圧の供給を許可し、かつ、該電源手段から該第２の端子への該第２の充電電圧の供給を禁止し、該第１のコマンドに対する応答がない場合、該電圧供給制御手段が、第１の所定期間、該電源手段から該第２の端子への該第２の充電電圧の供給を許可し、かつ、該電源手段から該第１の端子への該第１の充電電圧の供給を禁止し、該第２の充電電圧を該第１の所定期間供給後、該コマンド送信手段が該第２のコマンドを該第１の接続機器又は該第２の接続機器に送信し、該第２のコマンドに対する応答がある場合、該電圧供給制御手段が該電源手段から該第２の端子への該第２の充電電圧の供給を許可し、かつ、該電源手段から該第１の端子への該第１の充電電圧の供給を禁止し、該第２のコマンドに対する応答がない場合、該電圧供給制御手段が該電源手段から該第１の端子への該第１の充電電圧の供給を許可し、かつ、該電源手段から該第２の端子への該第２の充電電圧の供給を禁止する。
【０００６】
第１の接続方式に対応する第１の接続機器のみ応答可能な第１のコマンドが接続手段に接続されている第１の接続機器又は第２の接続機器に送信され、第１のコマンドに対する応答があれば、第１の接続方式に対応する第１の充電電圧が第１の端子に供給される。つまり、第１のコマンドに応答可能な第１の接続方式に対応する第１の接続機器が充電される。第１のコマンドに対する応答がなければ、第２の接続方式に対応する第２の充電電圧が所定の期間、第２の端子へ供給される。これにより、第２の接続機器が充電切れでコマンドに応答できない状態であったとしてもコマンドに応答可能な状態にすることができる。そして第２の充電電圧が第１の所定期間供給された後、第１の接続機器及び第２の接続機器が応答可能な第２のコマンドが接続機器に送信され、第２のコマンドに対する応答があれば、第２の充電電圧が第２の端子に供給される。つまり、第２の接続機器が充電される。第２のコマンドに対する応答がなければ、第１の充電電圧が第１の端子に供給される。つまり、充電切れで第１のコマンド及び第２のコマンドに応答できない状態だった第１の接続機器が充電される。
【０００７】
好ましい実施形態においては、エラーの発生を表示する表示手段をさらに有し；上記第２の充電電圧を上記第１の所定期間供給後、上記コマンド送信手段が上記第２のコマンドを上記第１の接続機器又は上記第２の接続機器に送信し、該第１の接続機器又は該第２の接続機器から該第２のコマンドに対する応答がない場合、第２の所定期間、上記電圧供給制御手段が上記電源手段から上記第１の端子への上記第１の充電電圧の供給を許可し、かつ、該電源手段から上記第２の端子への上記第２の充電電圧の供給を禁止し、該第１の充電電圧を該第２の所定期間供給後、該コマンド送信手段が上記第１のコマンド又は該第２のコマンドを該第１の接続機器又は該第２の接続機器に再送信し、再送信した該第１のコマンド又は該第２のコマンドに対する応答がない場合、該表示手段がエラーの発生を表示し、再送信した該第１のコマンド又は該第２のコマンドに対する応答がある場合、該電圧供給制御手段が、該電源手段から該第１の端子への該第１の充電電圧の供給を許可し、かつ、該電源手段から該第２の端子への該第２の充電電圧の供給を禁止する。
【０００８】
第２の充電電圧が第１の所定期間供給された後、第２のコマンドが第１の接続機器又は第２の接続機器に送信され、第２のコマンドに対する応答がない場合、第１の充電電圧が第２の所定期間、第１の端子へ供給される。これにより、第１の接続機器が充電切れで第１のコマンド又は第２のコマンドに応答できない状態であったとしてもコマンドに応答可能な状態にすることができる。そして第１の充電電圧が第２の所定期間供給された後、第１のコマンド又は第２のコマンドが第１の接続機器又は第２の接続機器に再送信され、再送信した第１のコマンド又は第２のコマンドに対する応答がなければ、エラーが発生した旨が表示手段に表示される。これにより、第１の接続機器又は第２の接続機器が有する充電池が不良である場合や、接続不良で第１の接続機器又は第２の接続機器と通信できない場合などのエラーを表示することができる。また、再送信した第１のコマンド又は第２のコマンドに対する応答があれば、第１の充電電圧が第１の端子へ供給される。つまり、充電切れで限定コマンド及び共通コマンドに応答できない状態だった第１の接続機器が充電される。
【発明の効果】
【０００９】
本発明によれば、接続される第１の接続機器又は第２の接続機器に対し、第１の接続方式に対応する第１の接続機器が応答可能な第１のコマンド又は第１の接続機器及び第２の接続機器が応答可能な第２のコマンドを送信し、これらのコマンドに対する応答の有無に応じて供給する充電電圧を切り替えることで、接続方式が異なる第１の接続機器又は第２の接続機器のどちらが接続されても、適した充電電圧を供給することができる。また、コマンドを送信する前に所定の期間、接続機器を充電することによって、充電切れでコマンド応答できない接続機器が接続されている場合であっても、適した充電電圧を接続機器に供給することができる。
【００１０】
さらに、コマンドを送信する前に各接続方式に対応する充電電圧で所定の期間充電したにもかかわらず、送信した第１のコマンド及び第２のコマンドのいずれに対しても接続機器から応答がなければ、接続機器が有する充電池が不良である場合や、接続不良で接続機器と通信できない場合などのエラーが発生しているとして、エラー表示することができる。
【発明を実施するための最良の形態】
【００１１】
以下、本発明の好ましい実施形態による充電装置１について、図を参照して説明するが、本発明はこれらの実施形態には限定されない。なお、図中同一又は相当部分には同一符号を付してその説明を援用する。
【００１２】
まず、本発明の実施形態である充電装置１について、図１を参照して詳細に説明する。図１は、充電装置１を示す概略ブロック図である。充電装置１は、電源部１１、１２、コネクタ１３、スイッチ１４、１５及び制御部１６を備える。
【００１３】
本実施例において、充電装置１は、コネクタ１３を介してシリアルバス接続機器２と接続される。シリアルバス接続機器２は、蓄電手段である充電池を有し、その充電池の電力を基に動作することができる。また、シリアルバス接続機器２は、充電装置１から充電電圧を供給することによって充電可能である。具体的には、充電装置１は、シリアルバスの接続方式や仕様の異なるシリアルバス接続機器２ａ、２ｂ、２ｃ（図示せず）が接続される。接続方式の違いとして、図２に示すように、シリアルバス接続機器２ａはシリアルバスとしてＩＥＥＥ１３９４を使用し、充電のためには１２Ｖの充電電圧が供給される必要がある。シリアルバス接続機器２ｂはシリアルバスとしてＵＳＢ及びＩＥＥＥ１３９４の両方を使用可能であり、充電のためには５Ｖ又は１２Ｖいずれか一方の充電電圧が供給されれば良い。シリアルバス接続機器２ｃはシリアルバスとしてＵＳＢのみ使用可能であり、充電のためには５Ｖの充電電圧が供給される必要がある。また、シリアルバス接続機器２において、全てのシリアルバス接続機器２が受け付け可能な共通の制御コマンド（以下、共通コマンド）が規定されており、一方で特定のシリアルバス接続機器２のみが受け付け可能な制御コマンド（以下、限定コマンド）が規定されている。本実施例では、図３に示すように、共通コマンドに応答可能なシリアルバス接続機器２はシリアルバス接続機器２ａ、２ｂ、２ｃであり、限定コマンドに応答可能なシリアルバス接続機器２はシリアルバスとしてＵＳＢを使用可能なシリアルバス接続機器２ｂ、２ｃである。
【００１４】
電源部１１は商用電源から５Ｖの充電電圧を生成し、接続コネクタ１３へ出力する。電源部１２は商用電源から１２Ｖの充電電圧を生成し、接続コネクタ１３へ出力する。
【００１５】
コネクタ１３は、シリアルバス接続機器２ａ、２ｂ、２ｃが共通して接続可能な接続コネクタであり、端子１３１、１３２、１３３を含む。端子１３１は、制御部１６が出力する共通コマンドや限定コマンドなどの制御コマンドをシリアルバス接続機器２へ出力したり、その制御コマンドに対する応答がシリアルバス接続機器２から入力される端子である。端子１３２は、シリアルバスとしてＵＳＢを使用するシリアルバス接続機器２ｂ、２ｃが接続された場合にシリアルバス接続機器２ｂ、２ｃと接続され、電源部１１から供給される５Ｖの充電電圧を供給するための端子である。端子１３３は、シリアルバスとしてＩＥＥＥ１３９４を使用するシリアルバス接続機器２ａ、２ｂが接続された場合にシリアルバス接続機器２ａ、２ｂと接続され、電源部１２から供給される１２Ｖの充電電圧を供給するための端子である。
【００１６】
スイッチ１４は、電源部１１と端子１３２との接続を接続状態（以下、オン状態）又は非接続状態（以下、オフ状態）にするためのものである。スイッチ１５は、電源部１２と端子１３３との接続をオン状態又はオフ状態にするためのものである。
【００１７】
制御部１６は、端子１３１を介してコネクタ１３に接続されるシリアルバス接続機器２に制御コマンドを送信し、それらに対する応答を受信する。具体的には、制御部１６は、通信方式としてＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用い、シリアルバス接続機器２に限定コマンドや共通コマンドを送信し、それらに対するシリアルバス接続機器２からの応答の有無に応じてスイッチ１４、１５のオンオフを制御することで、シリアルバス接続機器２に供給する充電電圧を制御する。より具体的には、制御部１６は、シリアルバス接続機器２へ限定コマンドを送信し、シリアルバス接続機器２から限定コマンドに対する応答があった場合、スイッチ１４、１５のオンオフを制御して電源部１１から端子１３２へ５Ｖの充電電圧を供給し、シリアルバス接続機器２に対する充電を開始する。このとき充電されるシリアルバス接続機器２は、限定コマンドに応答可能であり５Ｖの充電電圧供給により充電可能なシリアルバス接続機器２ｂ、２ｃである。
【００１８】
シリアルバス接続機器２から限定コマンドに対する応答がなかった場合、コネクタ１３に接続されているシリアルバス接続機器２が、充電池が放電しきっていて（以下、充電切れで）限定コマンドに応答できないシリアルバス接続機器２ｂ、２ｃである場合や、限定コマンドに対応していないシリアルバス接続機器２ａである場合が考えられる。そこで、制御部１６は、シリアルバス接続機器２から限定コマンドに対する応答がなかった場合、スイッチ１４、１５のオンオフを制御して電源１２から端子１３３へ１２Ｖの充電電圧を所定の期間だけ供給する。これは、充電切れで制御コマンドに応答できないシリアルバス接続機器２ａ、２ｂがコネクタ１３に接続されている場合であっても、所定の期間だけ１２Ｖの充電電圧を供給しておくことによって、シリアルバス接続機器２ａ、２ｂを制御コマンドに対して応答可能な状態にするためである。
【００１９】
その所定の期間後、制御部１６は、共通コマンドをシリアルバス接続機器２に送信し、シリアルバス接続機器２からの応答があった場合に、スイッチ１４、１５のオンオフを制御して電源部１２から端子１３３へ１２Ｖの充電電圧を供給し、シリアルバス接続機器２に対する充電を開始する。ここで充電されるシリアルバス接続機器２は、所定の期間だけ１２Ｖの充電電圧を供給しておくことで制御コマンドに対して応答可能な状態にしたシリアルバス接続機器２ａ、２ｂである。
【００２０】
また、シリアルバス接続機器２から共通コマンドに対する応答がなかった場合、コネクタ１３に接続されているシリアルバス接続機器２が、充電切れで共通コマンドに応答できないシリアルバス接続機器２ｃである場合が考えられる。そこで、制御部１６は、シリアルバス接続機器２から共通コマンドに対する応答がなかった場合には、スイッチ１４、１５のオンオフを制御して電源部１１から端子１３２へ５Ｖの充電電圧を供給し、シリアルバス接続機器２に対する充電を開始する。これによって、充電切れで共通コマンドに応答できないシリアルバス接続機器２ｃがコネクタ１３に接続されている場合であってもシリアルバス接続機器２ｃを充電することができる。
【００２１】
次に、以上の構成を有する充電装置１の動作について、図４〜６を参照して説明する。図４は、制御部１６の充電処理を示すフロー図である。図５は、シリアルバスとしてＵＳＢを使用するシリアルバス接続機器２ｃが充電装置１に接続された場合の概略ブロック図である。図６は、シリアルバスとしてＩＥＥＥ１３９４を使用するシリアルバス接続機器２ａが充電装置１に接続された場合の概略ブロック図である。
【００２２】
まず、充電装置１にシリアルバスとしてＵＳＢを使用するシリアルバス接続機器２ｃが充電装置１に接続された場合の制御部１６の動作について説明する。ここで、シリアルバス接続機器２ｃは、図５に示すように、コネクタ１３に接続され、端子１３１及び端子１３２がシリアルバス接続機器２ｃと接続状態となり、端子１３３はシリアルバス接続機器２ｃと非接続状態である。
【００２３】
制御部１６は、コネクタ１３に接続されているシリアルバス接続機器２ｃへ限定コマンドを送信する（Ｓ１）。そして、制御部１６は、シリアルバス接続機器２ｃからの限定コマンドに対する応答の有無を判断する（Ｓ２）。シリアルバス接続機器２ｃは限定コマンドに応答可能であるので、シリアルバス接続機器２ｃは限定コマンドに対して応答する。従って、制御部１６は、ステップＳ２においてシリアルバス接続機器２ｃから限定コマンドに対する応答が有ったと判断し（Ｓ２：ＹＥＳ）、電源部１１からシリアルバス接続機器２ｃへ５Ｖの充電電圧を供給し、シリアルバス接続機器２ｃに対して充電を開始する（Ｓ３）。具体的には、制御部１６は、スイッチ１４をオン状態、スイッチ１５をオフ状態とし、端子１３２へ５Ｖの充電電圧を供給する。以上により、シリアルバスとしてＵＳＢを使用するシリアルバス接続機器２ｃが充電装置１によって充電される。なお、シリアルバスとしてＵＳＢ及びＩＥＥＥ１３９４のいずれも使用可能なシリアルバス接続機器２ｂが充電装置１に接続された場合も、制御部１６は同様の充電処理を行う。
【００２４】
次に、充電装置１にシリアルバスとしてＩＥＥＥ１３９４を使用するシリアルバス接続機器２ａが充電装置１に接続された場合の制御部１６の動作について説明する。ここで、シリアルバス接続機器２ａは、図６に示すように、コネクタ１３に接続され、端子１３１及び端子１３３がシリアルバス接続機器２ａと接続状態となり、端子１３２はシリアルバス接続機器２ａと非接続状態である。
【００２５】
制御部１６は、コネクタ１３に接続されているシリアルバス接続機器２ａへ限定コマンドを送信する（Ｓ１）。そして、制御部１６は、シリアルバス接続機器２ａからの限定コマンドに対する応答の有無を判断する（Ｓ２）。シリアルバス接続機器２ａは限定コマンドに応答できないので、制御部１６は、限定コマンドに対する応答がないと判断する（Ｓ２：ＮＯ）。そして、制御部１６は、所定の期間、電源部１２からシリアルバス接続機器２ａへ１２Ｖの充電電圧を供給し、シリアルバス接続機器２ａに対して充電を行う（Ｓ４）。具体的には、制御部１６は、スイッチ１４をオフ状態、スイッチ１５をオン状態とし、端子１３３へ１２Ｖの充電電圧を供給する。そして、制御部１６は、共通コマンドをシリアルバス接続機器２ａへ送信し（Ｓ５）、シリアルバス接続機器２ａからの共通コマンドに対する応答の有無を判断する（Ｓ６）。シリアルバス接続機器２ａは共通コマンドに応答可能であるので、シリアルバス接続機器２ａは共通コマンドに対して応答する。従って、制御部１６は、シリアルバス接続機器２ａから共通コマンドに対する応答が有ったと判断し（Ｓ６：ＹＥＳ）、電源部１２からシリアルバス接続機器２ａへ１２Ｖの充電電圧を供給し、シリアルバス接続機器２ａに対して充電を開始する（Ｓ７）。具体的には、制御部１６は、スイッチ１４をオフ状態、スイッチ１５をオン状態とし、端子１３３へ１２Ｖの充電電圧を供給する。以上により、シリアルバスとしてＩＥＥＥ１３９４を使用するシリアルバス接続機器２ａが充電装置１によって充電される。
【００２６】
次に、充電切れで制御コマンドに対して応答できない状態のシリアルバス接続機器２ｃが充電装置１に接続された場合の制御部１６の動作について説明する。ここで、シリアルバス接続機器２ｃは、図５に示すように、コネクタ１３に接続され、端子１３１及び端子１３２がシリアルバス接続機器２ｃと接続状態となり、端子１３３はシリアルバス接続機器２ｃと非接続状態である。
【００２７】
制御部１６は、コネクタ１３に接続されているシリアルバス接続機器２ｃへ限定コマンドを送信する（Ｓ１）。そして、制御部１６は、シリアルバス接続機器２ｃからの限定コマンドに対する応答の有無を判断する（Ｓ２）。シリアルバス接続機器２ｃは、充電切れで制御コマンドに対して応答できない状態であるので、制御部１６は、限定コマンドに対する応答がないと判断する（Ｓ２：ＮＯ）。そして、制御部１６は、所定の期間、電源部１２からシリアルバス接続機器２ｃへ１２Ｖの充電電圧を供給し、シリアルバス接続機器２ｃに対して充電を行う（Ｓ４）。具体的には、制御部１６は、スイッチ１４をオフ状態、スイッチ１５をオン状態とし、端子１３３へ１２Ｖの充電電圧を供給する。しかし、シリアルバス接続機器２ｃは、ＵＳＢをシリアルバスとして使用しているので、１２Ｖの充電電圧では充電されない。次に、制御部１６は、共通コマンドをシリアルバス接続機器２ｃへ送信し（Ｓ５）し、シリアルバス接続機器２ｃからの共通コマンドに対する応答の有無を判断する（Ｓ６）。シリアルバス接続機器２ｃは、まだ充電切れで制御コマンドに対して応答できない状態であるので、制御部１６は、限定コマンドに対する応答がないと判断する（Ｓ６：ＮＯ）。そして、制御部１６は、電源部１１からシリアルバス接続機器２ｃへ５Ｖの充電電圧を供給し、シリアルバス接続機器２ｃに対して充電を開始する（Ｓ３）。具体的には、制御部１６は、スイッチ１４をオン状態、スイッチ１５をオフ状態とし、端子１３２へ５Ｖの充電電圧を供給する。以上により、シリアルバス接続機器２ｃは、充電切れで制御コマンドに対して応答できない状態で充電装置１に接続された場合であっても充電装置１によって充電される。
【００２８】
次に、充電切れで制御コマンドに対して応答できない状態のシリアルバス接続機器２ａが充電装置１に接続された場合の制御部１６の動作について説明する。ここで、シリアルバス接続機器２ａは、図６に示すように、コネクタ１３に接続され、端子１３１及び端子１３３がシリアルバス接続機器２ａと接続状態となり、端子１３２はシリアルバス接続機器２ａと非接続状態である。
【００２９】
制御部１６は、コネクタ１３に接続されているシリアルバス接続機器２ａへ限定コマンドを送信する（Ｓ１）。そして、制御部１６は、シリアルバス接続機器２ａからの限定コマンドに対する応答の有無を判断する（Ｓ２）。シリアルバス接続機器２ａは、充電切れで制御コマンドに対して応答できない状態であるので、制御部１６は、限定コマンドに対する応答がないと判断する（Ｓ２：ＮＯ）。そして、制御部１６は、所定の期間、電源部１２からシリアルバス接続機器２ａへ１２Ｖの充電電圧を供給し、シリアルバス接続機器２ａに対して充電を行う（Ｓ４）。具体的には、制御部１６は、スイッチ１４をオフ状態、スイッチ１５をオン状態とし、端子１３３へ１２Ｖの充電電圧を供給する。ここで、シリアルバス接続機器２ｃは所定の期間充電され、制御コマンドに応答可能な状態となる。そして、制御部１６は、共通コマンドをシリアルバス接続機器２ｃへ送信し（Ｓ５）し、シリアルバス接続機器２ｃからの共通コマンドに対する応答の有無を判断する（Ｓ６）。シリアルバス接続機器２ａは共通コマンドに応答可能であるので、シリアルバス接続機器２ａは共通コマンドに対して応答する。従って、制御部１６は、シリアルバス接続機器２ａから共通コマンドに対する応答が有ったと判断する（Ｓ６：ＹＥＳ）。そして、制御部１６は、電源部１２からシリアルバス接続機器２ａへ１２Ｖの充電電圧を供給し、シリアルバス接続機器２ａに対して充電を開始する（Ｓ７）。具体的には、制御部１６は、スイッチ１４をオフ状態、スイッチ１５をオン状態とし、端子１３３へ１２Ｖの充電電圧を供給する。以上により、シリアルバス接続機器２ａは、充電切れで制御コマンドに対して応答できない状態で充電装置１に接続された場合であっても充電装置１によって充電される。なお、シリアルバス接続機器２ｂが充電切れで制御コマンドに対して応答できない状態で充電装置１に接続された場合も、制御部１６は同様の充電処理を行う。
【００３０】
次に、本発明の別の好ましい実施形態である充電装置２について説明する。図７は、充電装置２を示す概略ブロック図である。充電装置２は、表示部１７をさらに有し、コネクタ１３に接続されているシリアルバス接続機器２の充電池が不良である場合や、コネクタ１３とシリアルバス接続機器２とが接続不良である場合に、エラーが発生していることをユーザに対して表示する。なお、充電装置１と同じ部分については説明を省略する。
【００３１】
表示部１７は、コネクタ１３に接続されているシリアルバス接続機器２の充電池が不良である場合や、コネクタ１３の接続不良のためシリアルバス接続機器２と通信できない状態である場合などのエラーを表示するためのものである。例えば、ＬＥＤなどの発光ダイオードや、液晶ディスプレイなどである。
【００３２】
制御部１６は、送信した限定コマンド及び共通コマンドのいずれのコマンドにもシリアルバス接続機器２が応答しなかった場合、コネクタ１３に接続されているシリアルバス接続機器２の充電池が不良である場合や、コネクタ１３の接続不良のためシリアルバス接続機器２と通信できない状態である可能性があるので、表示部１７にエラー表示させる。以下、エラーを表示する処理も含む制御部１６の充電処理について説明する。図８は、制御部１６の充電処理を示すフロー図である。ステップＳ１からステップＳ７までの処理は上述の充電装置１の制御部１６の動作と同じであるので説明を省略する。
【００３３】
コネクタ１３に接続されているシリアルバス接続機器２の充電池が不良である場合や、コネクタ１３の接続不良のためシリアルバス接続機器２と通信できない状態である場合、コネクタ１３に接続されているシリアルバス接続機器２は制御コマンドに対して応答できないので、制御部１６はステップ２において限定コマンドに対して応答なしと判断し（Ｓ２：ＮＯ）、ステップＳ６において共通コマンドに対して応答なしと判断する（Ｓ６：ＮＯ）。その結果、制御部１６は、ステップＳ８の処理に移り、電源部１１からシリアルバス接続機器へ５Ｖの充電電圧を所定の期間だけ供給し、充電を行う（Ｓ８）。具体的には、制御部１６は、スイッチ１４をオン状態、スイッチ１５をオフ状態とし、端子１３２へ５Ｖの充電電圧を所定の期間だけ供給する。
【００３４】
次に制御部１６は、共通コマンドをシリアルバス接続機器２へ送信する（Ｓ９）。そして、制御部１６は、シリアルバス接続機器２からの共通コマンドに対する応答の有無を判断する（Ｓ１０）。シリアルバス接続機器２が充電池が不良でステップ８で充電されない場合や、コネクタ１３の接続不良で通信できない場合、シリアルバス接続機器２は共通コマンドに対して応答できない。従って、制御部１６は、シリアルバス接続機器２から共通コマンドに対する応答がないと判断し（Ｓ１０：ＮＯ）、制御部１６は表示部１７にエラーを表示させる（Ｓ１１）。
【００３５】
充電切れで制御コマンドに応答できない状態のシリアルバス接続機器２ｃが接続されていた場合には、ステップＳ８で充電され、共通コマンドに応答可能な状態となる。従って、ステップＳ９において制御部１６から送られてきた共通コマンドに対して応答するので、制御部１６は、ステップＳ１０で、シリアルバス接続機器２ｃから共通コマンドに対する応答が有ったと判断する（Ｓ１０：ＹＥＳ）。そして、制御部１６は電源部１１からシリアルバス接続機器へ５Ｖの充電電圧を供給し、充電を開始する（Ｓ３）。具体的には、制御部１６は、スイッチ１４をオン状態、スイッチ１５をオフ状態とし、端子１３２へ５Ｖの充電電圧を供給する。
【００３６】
以上、本発明に係る記録再生装置の好ましい実施形態の例について説明したが、上述した実施の形態は本発明を実施するための例示に過ぎない。例えば、充電装置２における制御部１６の充電処理中、ステップＳ９で共通コマンドをシリアルバス接続機器２に送信するようにしたが、シリアルバス接続機器２ｂ、２ｃが応答可能な制御コマンドであれば良いので、共通コマンドの代わりにシリアルバス接続機器２ｂ、２ｃのみが応答可能な限定コマンドをシリアルバス接続機器２に送信するようにしても良い。
【００３７】
また、本実施例において、充電装置とシリアルバス接続機器との接続方式をシリアルバス接続方式のＵＳＢ及びＩＥＥＥ１３９４としたが、これらのシリアルバス接続方式に限定されず、例えば、異なる世代が共通のコネクタで接続されるポータブルオーディオデバイスに採用される接続方式を適用可能である。
【００３８】
さらに、本実施例において、電源部１１及び電源部１２が商用電源から充電電圧を生成するようにしたが、車載用バッテリや、乾電池や充電池を有する携帯型電源などからでも生成可能である。
【００３９】
さらに、本実施例においては、接続方式が異なるシリアルバス接続機器に対し、その接続方式に応じて適した充電電圧を供給するようにしたが、その充電電圧をシリアルバス接続機器が動作するための電源電圧とすることもできる。
【００４０】
さらに本実施例においては、制御部１６がシリアルバス接続機器２と通信する通信方式としてＵＡＲＴを用いたが、ＩＥＥＥ１３９４やＵＳＢなどの通信方式を用いても良い。電源供給方式と通信方式を合わせなければならないということはなく、本実施例のように、電源供給方式にはＩＥＥＥ１３９４及びＵＳＢを用い、通信方式にはＵＡＲＴを用いても良い。
【産業上の利用可能性】
【００４１】
本発明は、接続方式が異なる機器を充電可能な充電装置に関し、特に、シリアルバス接続によってシリアルバス接続機器に充電電圧を供給して充電可能な充電装置に好適に採用され得る。
【図面の簡単な説明】
【００４２】
【図１】本発明の好ましい実施形態による充電装置１を示す概略ブロック図である。
【図２】各シリアルバス接続機器２が対応可能な接続方式を示す図である。
【図３】各シリアルバス接続機器２が対応可能な制御コマンドを示す図である。
【図４】本発明の好ましい実施形態における充電処理を示すフローチャートである。
【図５】本発明の好ましい実施形態において、充電装置１とシリアルバス接続２ｃとの接続を示す概略ブロック図である。
【図６】本発明の好ましい実施形態において、充電装置１とシリアルバス接続２ａとの接続を示す概略ブロック図である。
【図７】本発明の別の好ましい実施形態による充電装置２を示す概略ブロック図である。
【図８】本発明の別の好ましい実施形態における充電処理を示すフローチャートである。
【符号の説明】
【００４３】
１、２    充電装置
１１、１２  電源部
１３  コネクタ
１３１、１３２、１３３  端子
１４、１５  スイッチ
１６  制御部
１７  表示部
【図１】
2010081763.tif 000003
【図２】
2010081763.tif 000004
【図３】
2010081763.tif 000005
【図４】
2010081763.tif 000006
【図５】
2010081763.tif 000007
【図６】
2010081763.tif 000008
【図７】
2010081763.tif 000009
【図８】
2010081763.tif 000010